(57)【要約】【課題】工事現場やイベント催事など、照明用に使用される照明機であり、ファンモーターを必要としないため、省電力でコストが安く、ファンモーターの故障や切り裂きによるバルーンの縮みがなく、照明機が軽くなり、運搬が容易であり、また、コンパクトに収納できるバルーン照明機を提供する。【解決手段】バルーン２３は、バルーン上端部１０とバルーン下端部１１に係止された弾性部材２によって、球形体を維持し、内蔵する照明装置により投光する。    バルーン２３は、巻き取り手段５ａが回転することによって、柱状物４に弾性部材２と張布材１が巻きつき、拡張及び収縮する。    バルーン２３は、車輪１５と伸縮自在なバルーン支持部６がついた台車８に発電機７を搭載し、バルーン支持部６の延長上にとりつけることもできる。また、折りたたみ可能な三脚２０を取り付け、電線２１により外部電力を電源とすることもできる。【選択図】  図１
2008277095.tif 000002
【特許請求の範囲】
【請求項１】
バルーンと
前記バルーンに当接する弾性部材と
前記弾性部材が、回転して巻きつく柱状物と
前記柱状物に巻きつく巻き取り手段と
前記柱状物の内側に設けられた照明装置とを備えたことを特徴とするツイストバルーン照明機。
【請求項２】
請求項１記載の照明機において、
前記バルーンの内側面に設けられた前記弾性部材は、各々一端をバルーン上端部とバルーン下端部とに係止され、                                      
前記弾性部材が、前記巻き取り手段によって、前記柱状物の外周に、回転して巻きつくことを特徴とするツイストバルーン照明機。
【請求項３】
請求項１及び２記載の照明機において、
前記柱状物に連結したバルーン支柱部と
前記バルーンと通電可能な電気供給手段と
前記バルーンを設置する据え置き手段とを備えたことを特徴とするツイストバルーン照明機。
【請求項４】
請求項１から３記載の照明機において、
バルーンの下側に巻き取り手段を備えることを特徴とするツイストバルーン照明機。
【請求項５】
請求項１から４記載の照明機において、
据え置き手段に移動式車輪を待つ台車を備えたことを特徴とするツイストバルーン照明機。
【請求項６】
請求項１から５記載の照明機において、
電気供給手段として発電機を備えたことを特徴とするツイストバルーン照明機。
【請求項７】
請求項1及び２記載の照明機において、
前記柱状物に連結したバルーン支柱部と
前記バルーンと通電可能にする電気供給手段として電線を備え
前記据え置き手段として三脚とを備えたことを特徴とするツイストバルーン照明機。
【発明の詳細な説明】
【技術分野】
【０００１】
本発明は、工事現場やイベント催場などで、照明用に使用される移動が可能なバルー  ン照明機に関するものである。
【背景技術】
【０００２】
道路などの新設や修復工事は、交通事情により、夜間に行われることも多く、そのた  めに移動式の照明機が必要とされ、また、夜間のイベント催事などもいろいろな場所に  おいて照明機が必要とされ、広範囲な投光とともに、外部への環境面や騒音など配慮が  求められている。
【０００３】
発電機を掲載した投光機は、移動可能な台車と伸縮するポールの上部に照明部を配置
し、ポールを伸ばすことにより、高所から広範囲に投光でき、その投光が周囲にまぶし
すぎないよう、照明部の周りに照明の光を和らげるためのバルーンを設置し、そのバ    ルーンは、ファンモーターによって送られてくる空気により膨らみ、バルーンの形を維  持するものがある。（例えば、特許文献1参照）
【０００４】
発電機を掲載した照明機は、移動が自在な台車に載置され、伸縮自在なマストの上部  に照明器具を備え、その照明器具を覆うように、数本の弾性部材によって形成されたバ  ルーンを有し、マストに接した摺動部を上下することにより、バルーンの膨張や収縮さ  せるものがある。（例えば、特許文献2参照）
【特許文献１】特許第３８０８０８１号公報
【特許文献２】特許第３８６４２６５号公報
【発明の開示】
【発明が解決しようとする課題】
【０００５】
特許文献１は、照明部を覆うバルーンが、送られる空気により膨らみ球形を保つため  に、照明のための電力と、空気を送るための電力とを同時に必要とし、大量の電力を消  費するうえに、空気を送る装置も設置するので、送風のための音もうるさく、ファン  モーターの部品により自重も重くなり、ファンモーターの部品も含めると高価な機材となり、また、バルーンは、空気が漏れる亀裂やファンモーターの故障などにより、ふくらみを維持できない。
【０００６】
特許文献2は、照明器具を覆うバルーンが数本のバネ部材によって形成され、摺動部  材を上下に動かすことによって膨張や収納するが、膨張や収縮するために、上下に摺動  するマストを収納部として必要とし、収納スペースをマストの上下に長く必要とするた  め、収納がかさばる。
【課題を解決するための手段】
【０００７】
バルーンと
その内部にバルーンに当接した弾性部材と
バルーンと弾性部材が回転して巻きつく柱状物と
その柱状物に巻きつく巻き取り手段と
その柱状物の内側に照明装置を備えることにより上記目的が達成される。
【０００８】
そして、バルーンの内側面に設けられた弾性部材は、
各々一端をバルーン上端部とバルーン下端部とに係止され、
弾性部材が、巻き取り手段によって、柱状物の外周に回転して巻きつく構造もでき    る。
【０００９】
それから、球形状のバルーンと
柱状物に連結したバルーン支柱部と
そのバルーンと通電可能な電気供給手段と
バルーンを設置する据え置き手段とを備える構造ができる。
【００１０】
それから、球形状のバルーンの下側に巻き取り手段を備える構造もできる。
【００１１】
そして、据え置き手段に移動式車輪を待つ台車を備えることもできる。
【００１２】
そして、電気供給手段として発電機を備えることもできる。
【００１３】
球形状のバルーンと、
その内側面のバルーンに当接した弾性部材と、
弾性部材が回転して巻きつく柱状物と、
その柱状物に直結する巻き取り手段と、
その柱状物の内側に照明装置とを備え、
柱状物に連結するバルーン支持部と、
そのバルーンと通電可能にする電気供給手段として電線を備え、
その据え置き手段として三脚を備える構造もできる。
【発明の効果】
【００１４】
本発明では、バルーンは、
内側に設けられた弾性部材が、各々一端をバルーン上端部とバルーン下端部とに係止  され、
バルーン下端部と直結した巻き取り手段を、バルーンの鉛直方向へ正転させることに  よって、弾性部材が、柱状物の外周部に、回転して巻きつくため、柱状物の高さのま    ま、コンパクトに収納することができ、
また、巻き取り手段をバルーンに鉛直方向へ反転させることによって、弾性部材が、  弧状に拡張するので、バルーンに孔が開いても縮まずバルーンを維持することができ    る。
【００１５】
球形状のバルーンと、柱状物に連結したバルーン支柱部と、通電可能な電気供給手段  と、据え置き手段と備えることにより、工事現場やイベント催事など、照明が必要な場  所に設置することができる。
【００１６】
それから、柱状物の下側に巻き取り手段が配置されることにより、
直結して回動するバルーン下端部は、弾性部材の巻きつきを案内し、バルーンの収縮や  拡張をスムーズに行うことができる。
【００１７】
そして、据え置き手段に移動式車輪を持つ台車を備えることにより、工事現場やイ    ベント催事など、照明が必要な場所への移動を容易にし、使用範囲を広げることができ
る。
【００１８】
そして、電気供給手段として、発電機を備えたことにより、工事現場やイベント催事
など、外部の電力がとれない場所でも、自発の電力によって照明を供給できる。
【００１９】
本発明の照明機は、電気供給手段として電線を備え、外部から電源をとり、据え置
き手段として折りたたみ可能な三脚を備えることにより、
発電機を常設せず、容易に設置でき、手軽に運搬もでき、バルーン照明機の使用場所
も広がり、投光が必要な室内での使用も可能になる。
【発明を実施するための最良の形態】
【００２０】
以下に本発明の実施の形態を、図面を参照して具体的に説明する。  
【００２１】
図１に示すように本発明に係る照明機は、
バルーン２３が、バルーン上端部１０とバルーン下端部１１と当接して球形状を成    し、
弾性部材２が、張布材１の内側面に当接して、弾性部材止め具９によって係止され、
柱状物４は、バルーン上端部１０とバルーン下端部１１の間に配置し、
照明装置３が、柱状物の内側に設置されるもので、電球支持部材１４によって、電球
１６を配置し、
弾性部材２は、巻き取り手段５ａが、直結するバルーン支持部６と、バルーン２３の
鉛直方向に正転することにより、柱状物４の外周に巻きつき、張布材１は収納されるこ  ととなり、
巻き取り手段５ａが、バルーン２３の鉛直方向に反転することにより、弾性部材２    は、  球形状に拡張し、張布材１が広がることとなる。
【００２２】
それから、バルーン２３は、上側に固定盤として、バルーン上端部１０があり、その  外縁には所定の間隔で弾性部材２が係止され、
下側に、回転盤として、バルーン下端部１１があり、その外縁には所定の間隔で弾性  部材２が係止され、
回動する巻き取り手段５ａは、回転盤であるバルーン下端部１１が所定の方向に回転  されることにより、弾性部材２が柱状物４の外周に巻きつく。
【００２３】
弾性部材２は、１本の両端が係止具１７により止められており、
それら複数本からなる弾性部材２は、各々一端をバルーン上端部１０とバルーン下端  部１１の外縁に、弾性部材止めボルト２２により、止められる構造となり、
係止具１７は、弾性部材留めボルト２２によって係止され、可動する構造とし、収縮
時や拡張時に動くようにしたものであればよく、収納や拡張時には、外れない程度に動  くものとする。
【００２４】
バルーン２３は、投光範囲と照明装置３によって大きさは決定されれば良く、
照明装置３の投光を和らげるなどの効果が必要で、透光性のある布または合成樹脂性
フィルムなどの材料からなり、
それらに当接した弾性部材２は、６本から１６本内外あってもよく、
所望の復元力に富むものであればよく、材質はスプリングワイヤーや形状記憶合金や樹  脂材などを用いる。
【００２５】
回動する巻き取り手段５ａは、回動を規制する回転止め具１３ａにより係止され、
収縮時には、回転止め具１３ａを解除し、ハンドル１２ａを鉛直方向に正転させるこ  とにより、弾性部材２は、回転して、円柱状４に巻きつき、
拡張時には、回転止め具１３ａを解除し、ハンドル１２ａを鉛直方向に反転させるこ  とにより、弾性部材２は拡張し、張布材１は球形状に広がるものである。
【００２６】
弾性部材止め具９は、樹脂部品や金属部品などにより係止されて、弾性部材２と張布  材１の当接をさまたげないものであればよく、１本の弾性部材２に５箇所内外、係止さ  れてもよい。
【００２７】
柱状物４は、弾性部材2と張布材1が巻きつき収納するためのものであり、バルー
ン上端部１０とバルーン下端部１１との間に柱状に設けたものであり、
弾性部材２と張布材１が収縮時に、照明装置３の電球１６の熱によって、焦げ付き
や焼損を防止するものであればよく、弾性部材２の収縮や拡張をささえる程度の金属や  プラスティックなどの材質であればよい。
【００２８】
バルーン２３に内蔵する照明装置３は、回転盤であるバルーン下端部１１の上側に、  電球１６を支える固定された電球支持部１４を備え、電球１６は、投光範囲なども考慮  し、メタルハライド球などを用いることもできる。
【００２９】
図２に示すように本発明に係る照明機は、
発電機７を電気供給手段とし、
据え置き手段に車輪１５を待つ移動可能な台車８を備え、
その台車８に立設した三段階程度に伸縮自在なバルーン支持部６と、
そのバルーン支持部６の延長上に、図１で示した照明機を備えたものである。
【００３０】
発電機７と照明装置３は、通電可能であり、配線２４はバルーン支持部６の内部を    通管するか、または、バルーン支持部６に当接することもできる。
【００３１】
図３は、拡張したバルーン２３の斜視図であり、張布材１は、バルーン上端部１０    とバルーン下端部１１とに当接して、
その内側面に、弾性部材２が、弾性部材止め具９によって係止され、バルーン２３の  形状を維持するものである。
【００３２】
図４は、収縮し収納されたバルーン２３の斜視図であり、バルーン支持部６に回動可  能にとりつけた巻き取り手段５ａとハンドル１２ａは、
バルーン下端部１１と連動して回転し、
張布材１が収納されると回転止め具１３によって止められ、
張布材１と弾性部材２は、柱状物４に螺旋状に巻きつく形状で収納される。
【００３３】
図５は、本発明の照明機の展開図であり、
バルーン支持部６からバルーン２３の上端部の延長線上で、
バルーン２３の上側に、回転盤としてバルーン上端部１０と、巻き取り手段５ｂとハ  ンドル１２ｂとを配置し、柱状物４の下側に固定盤として、バルーン下端部１１を配置  することにより、  弾性部材２は、バルーン上端部１０と巻き取り手段５ｂとハンドル  １２ｂと連動して、回転し、柱状物４に巻きつき、回転止め具13ｂによって規制され、    図２の照明機と巻き取り手段５ａとハンドル１２ａと回転止め具１３ａを、バルーン  ２３の上側に取り付けることができる。
【００３４】
図６は、本発明である照明機の展開図であり、バルーン支持部６の下側に、
折りたたみ可能な三脚２０と、
バルーン２３と連結する電線２１により、外部から電力をとることができ、
照明機の使用範囲を広げ、室内での使用もできるものとする。    
【００３５】
図７は、バルーン２３に内蔵する照明装置３の斜視図であり、柱状物４と電球１６と  の間に設置する照明保護枠体１８は、バルーン下端部１１に隣接して、固定されるもの  で、外部からの衝撃などのよる電球１６を保護するものであり、
また、電球が破損した場合に、破片など他への被害をおさえるものでもあり、
電球の熱に影響を受けず、投光をさえぎらないものであればよく、網目状の金属や合  成樹脂などの材質であってもよい。
【００３６】
図８は、バルーン２３の斜視図であり、張布材１に面状ファスナーやファスナーなど  を用い、開閉される開閉窓１９は、
張布材１の外側周のバルーン上端部１０とバルーン下端部１１の弧の間に位置し、電  球１６の交換やバルーン２３の内部の清掃などに支障のない長さや大きさであればよ    い。
【図面の簡単な説明】
【００３７】
【図１】本発明に係る照明機の側面図である。
【図２】本発明に係る照明機の展開図である。
【図３】本発明に係る照明機のバルーンの斜視図である。
【図４】本発明に係る照明機の収縮時の斜視図である。
【図５】本発明に係る照明機の展開図である。
【図６】本発明に係る照明機の斜視図である。
【図７】本発明に係る照明機の照明装置の側面図である。
【図８】本発明に係る照明機のバルーン球体部の斜視図である。
【符号の説明】
【００３８】
１    張布材
２    弾性部材
３    照明装置
４    柱状物
５ａ  巻き取り手段
５ｂ  巻き取り手段
６    バルーン支持部    
７    発電機
８    台車
９    弾性部材止め具
１０    バルーン上端部
１１    バルーン下端部
１２ａ  ハンドル
１２ｂ  ハンドル
１３ａ  回転止め具
１３ｂ  回転止め具
１４    電球支持部材
１５    車輪
１６    電球
１７    係止具
１８    照明保護枠体
１９    開閉窓  
２０    三脚  
２１    電線
２２    弾性部材止めボルト  
２３    バルーン
２４    配線
【図１】
2008277095.tif 000003
【図２】
2008277095.tif 000004
【図３】
2008277095.tif 000005
【図４】
2008277095.tif 000006
【図５】
2008277095.tif 000007
【図６】
2008277095.tif 000008
【図７】
2008277095.tif 000009
【図８】
2008277095.tif 000010
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
バルーンと
前記バルーンに弾性部材止め具によって係止されている弾性部材と
前記バルーンと前記弾性部材が、回転して巻きつく柱状物と
前記柱状物に巻きつけるために、
前記柱状物の上端部に固定され、前記弾性部材の一端部が所定の間隔で係止された固定盤と、
前記柱状物の下端部に回転可能に取り付けられ、前記弾性部材の他端部が所定の間隔で係止された回転盤と、
前記回転盤を回転させるハンドルからなる巻き取り手段と、
前記柱状物の内側に設けられた照明装置とを備えたことを特徴とするツイストバルーン照明機。
【請求項２】
請求項１記載のツイストバルーン照明機において、
前記柱状物の下端部に連結したバルーン支柱部と
前記バルーンの照明装置に通電可能な電気供給手段と
前記バルーン支持部を保持する据え置き手段とを備えたことを特徴とするツイストバルーン照明機。
【請求項３】
請求項１または２記載のツイストバルーン照明機において、
据え置き手段に移動式車輪を待つ台車を備えたことを特徴とするツイストバルーン照明機。
【請求項４】
請求項１から３項のいずれか1項に記載のツイストバルーン照明機において、
電気供給手段として発電機を台車に備えたことを特徴とするツイストバルーン照明機。
【請求項５】
請求項1または2記載のツイストバルーン照明機において、
前記柱状物の下端部に連結したバルーン支柱部と
前記バルーンとの照明装置に通電可能とする電気供給手段として台車以外の個所に発電機能を有する装置から電力の供給を受けるための電線を備え、
前記据え置き手段として三脚を備えたことを特徴とするツイストバルーン照明機。
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
バルーンと
前記バルーンに弾性部材止め具によって係止されている弾性部材と
前記バルーンと前記弾性部材が、回転して巻きつく柱状物と
前記柱状物に巻きつけるために、
前記柱状物の上端部に固定され、前記弾性部材の一端部が所定の間隔で係止された固定盤と、
前記柱状物の下端部に回転可能に取り付けられ、前記弾性部材の他端部が所定の間隔で係止された回転盤と、
前記回転盤を回転させるハンドルからなる巻き取り手段と、
前記柱状物の内側に設けられた照明装置とを備えたことを特徴とするツイストバルーン照明機。
【請求項２】
請求項１記載のツイストバルーン照明機において、
前記柱状物の下端部に連結したバルーン支柱部と
前記バルーンの照明装置に通電可能な電気供給手段と
前記バルーン支持部を保持する据え置き手段とを備えたことを特徴とするツイストバルーン照明機。
【請求項３】
請求項２記載のツイストバルーン照明機において、
据え置き手段に移動式車輪を待つ台車を備えたことを特徴とするツイストバルーン照明機。
【請求項４】
請求項２から３項のいずれか1項に記載のツイストバルーン照明機において、
電気供給手段として発電機を台車に備えたことを特徴とするツイストバルーン照明機。
【請求項５】
請求項３または４記載のツイストバルーン照明機において、
前記柱状物の下端部に連結したバルーン支柱部と
前記バルーンの照明装置に通電可能とする電気供給手段として台車以外の個所に発電機  能を有する装置から電力の供給を受けるための電線を備え、
前記据え置き手段として三脚を備えたことを特徴とするツイストバルーン照明機。
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
バルーンと
前記バルーンに弾性部材止め具によって係止されている弾性部材と
前記バルーンと前記弾性部材が、回転して巻きつく柱状物と
前記柱状物に巻きつけるために、
前記柱状物の上端部に固定され、前記弾性部材の一端部が所定の間隔で係止された固定盤と、
前記柱状物の下端部に回転可能に取り付けられ、前記弾性部材の他端部が所定の間隔で係止された回転盤と、
前記回転盤を回転させるハンドルからなる巻き取り手段と、
前記柱状物の内側に設けられた照明装置とを備えたことを特徴とするツイストバルーン照明機。
【請求項２】
請求項１記載のツイストバルーン照明機において、
前記柱状物の下端部に連結したバルーン支柱部と
前記バルーンの照明装置に通電可能な電気供給手段と
前記バルーン支持部を保持する据え置き手段とを備えたことを特徴とするツイストバルーン照明機。
【請求項３】
請求項２記載のツイストバルーン照明機において、
据え置き手段が移動式車輪を持つ台車であることを特徴とするツイストバルーン照明機。